(57)【要約】  スプレーヘッドは、自在に変形可能な内側チューブ（２１）および弾性変形可能な外側チューブ（２２）からなる二重管構造のチューブ（２０）と、ノズル（３０）とを備える。チューブ（２０）には、溶液搬送路（２３）および気体搬送路（２４）が設けられ、ノズル（３０）の先端面（３０ａ）には、溶液吐出口（３５）および気体吐出口（３６）が設けられる。ノズル（３０）の内部には、内側チューブ（２１）の先端（２１ａ）が嵌着された第１嵌着部（３１）と、外側チューブ（２２）の先端（２２ａ）が嵌着された第２嵌着部（３２）と、溶液搬送路（２３）と溶液吐出口（３５）とを連通させる溶液通路（３３）と、気体搬送路（２４）と気体吐出口（３６）とを連通させる気体通路（３４）とが設けられる。溶液通路（３３）と気体通路（３４）とは、ノズル（３０）に設けられた隔壁部（３８）によって隔てられる。
2015098465.tif 000002
【特許請求の範囲】
【請求項１】
圧縮気体を用いることで生体用薬剤含有溶液を外部に向けて噴霧する生体用薬剤含有溶液投与具用のスプレーヘッドであって、
生体用薬剤含有溶液および圧縮気体をこれらが分離した状態のまま搬送するチューブと、
前記チューブの先端に取付けられ、前記チューブから導入された生体用薬剤含有溶液および圧縮気体をこれらが分離した状態のまま外部に向けて吐出するノズルとを備え、
前記チューブは、生体用薬剤含有溶液が搬送される溶液搬送路が内部に設けられた内側チューブと、前記内側チューブが内部に挿通されることによって前記内側チューブとの間に圧縮気体が搬送される気体搬送路を規定する外側チューブとによって構成された二重管構造を有し、
前記内側チューブは、外力が加えられた場合に自在に変形するとともに外力が取り除かれた場合にその形状が概ね維持される部材からなり、
前記外側チューブは、弾性変形可能な部材からなり、
前記ノズルは、前記内側チューブの先端が嵌着された第１嵌着部と、前記外側チューブの先端が嵌着された第２嵌着部とを含み、
前記ノズルの先端面には、生体用薬剤含有溶液を吐出するための溶液吐出口と、圧縮気体を吐出するための気体吐出口とが設けられ、
前記気体吐出口は、前記溶液吐出口を取り囲むように配設され、
前記ノズルの内部には、前記溶液搬送路と前記溶液吐出口とを連通させる溶液通路と、前記気体搬送路と前記気体吐出口とを連通させる気体通路とが設けられ、
前記溶液通路と前記気体通路とが、前記ノズルの一部によって構成された隔壁部によって隔てられている、生体用薬剤含有溶液投与具用のスプレーヘッド。
【請求項２】
前記ノズルの先端面には、外側に向けて突出する突出部が設けられ、
前記溶液吐出口が、前記突出部の先端に設けられている、請求項１に記載の生体用薬剤含有溶液投与具用のスプレーヘッド。
【請求項３】
前記内側チューブの先端が前記第１嵌着部に圧入されることにより、前記内側チューブが、前記ノズルに保持されている、請求項１または２に記載の生体用薬剤含有溶液投与具用のスプレーヘッド。
【請求項４】
前記第１嵌着部が、前記第２嵌着部よりも前記先端面側に位置している、請求項１から３のいずれかに記載の生体用薬剤含有溶液投与具用のスプレーヘッド。
【請求項５】
前記内側チューブが、金属製の部材からなり、
前記外側チューブが、樹脂製の部材からなる、請求項１から４のいずれかに記載の生体用薬剤含有溶液投与具用のスプレーヘッド。
【発明の詳細な説明】
【技術分野】
【０００１】
本発明は、生体用薬剤を含有する溶液である生体用薬剤含有溶液を生体組織に対して噴霧投与するための生体用薬剤含有溶液投与具用のスプレーヘッド（以下、単にスプレーヘッドとも称する）に関し、より特定的には、圧縮気体を用いることで生体用薬剤含有溶液を外部に向けて噴霧可能にする生体用薬剤含有溶液投与具に具備されるスプレーヘッドに関する。
【背景技術】
【０００２】
生体に対する薬剤の投与方法には、種々の方法が存在するが、特に、開頭、開胸、開腔手術等の施術時等において好適に用いられる生体用薬剤の投与方法として、噴霧法がある。噴霧法においては、生体用薬剤が溶液に調製され、当該溶液が生体組織に対して噴霧投与される。この噴霧法を利用して投与される生体用薬剤としては、たとえば生体接着剤や洗浄剤（生理食塩水など）、薬効成分を有する薬剤等、種々ものがあるが、以下においては、生体用薬剤として生体接着剤を例示して説明を行なう。【０００３】
一般に、生体接着剤としては、動物性蛋白質を主成分とするものが利用されている。動物性蛋白質を主成分とする生体接着剤は、生体接着剤成分含有溶液としての動物性蛋白質を含む溶液と、生体接着剤成分含有溶液としての動物性蛋白質の凝塊形成を促進させる凝固因子を含む溶液とを混合することにより接着性能が発揮されるいわゆる二液性の接着剤であり、たとえば第ＸＩＩＩ因子およびフィブリノーゲンを含有する溶液とトロンビンを含有する溶液とからなる生体接着剤が広く用いられている。【０００４】
生体用薬剤含有溶液（以下、単に溶液とも称する）である上述した生体接着剤成分含有溶液の生体組織への投与には、上述したように噴霧法が好適に用いられる。噴霧法は、溶液吐出口から溶液を吐出するとともに当該溶液吐出口を取り囲むようにこれに隣接して設けられた気体吐出口から圧縮気体を吐出することにより上記溶液を霧化するとともに、これを圧縮気体に乗せて生体組織へ投与する方法であり、溶液の生体組織への均質な投与が可能になる点において、他の投与法よりも優れている。【０００５】
当該噴霧法を用いる場合には、予め上記２種類の溶液がそれぞれ充填された一対の生体用薬剤含有溶液投与具（以下、単に投与具とも称する）が準備され、以下の２つの投与方法のいずれかが用いられることでこれら２種類の溶液が生体組織へ噴霧投与される。【０００６】
第１の方法は、用意した一対の投与具から同時に上記２種類の溶液をそれぞれ生体組織に向けて噴霧投与する方法であり、当該方法を用いることにより、上記２種類の溶液が混合されながら生体組織に塗布されることになる。【０００７】
第２の方法は、用意した一対の投与具の一方を用いて一方の溶液を生体組織に向けて噴霧投与した後に、用意した一対の投与具の他方を用いて他方の溶液を生体組織に向けて噴霧投与する方法であり、当該方法を用いることにより、生体組織に対して個別に上記２種類の溶液が塗布され、生体組織上において上記２種類の溶液が混合されることになる。【０００８】
上述した噴霧法を用いる場合に使用される投与具の構成が具体的に開示された文献として、たとえば特開２００３−１０３３０号公報（特許文献１）がある。【０００９】
当該特開２００３−１０３３０号公報に開示された投与具は、溶液が充填されたシリンジと、圧縮気体としての圧縮空気を圧送するコンプレッサと、これらシリンジおよびコンプレッサに接続されたスプレーヘッドとを備えている。このうち、スプレーヘッドは、シリンジおよびコンプレッサに接続されることによって溶液および圧縮気体としての圧縮空気を分離した状態で搬送することができる二重管構造を有するチューブと、当該チューブの先端近傍に取付けられたノズルとを含んでおり、上述した溶液吐出口および気体吐出口が、いずれもノズルが位置する側の先端部分に設けられている。【００１０】
ここで、当該特開２００３−１０３３０号公報に開示されたスプレーヘッドにおいては、内側チューブおよび外側チューブからなる二重管構造を有するチューブが所定の長さ（たとえば数十センチメートル程度）を有するように長尺状に構成されているとともに、当該二重管構造を有するチューブが自在に変形しかつその形状が概ね維持されることとなるように、内側チューブおよび外側チューブがそれぞれ金属製チューブおよびプラスチック製チューブによって構成されている。このように構成することにより、二重管構造を有するチューブを変形させることによってノズルの位置や角度が自由に調節できることになり、溶液の噴霧投与の際の利便性が向上することになる。【００１１】
また、上述したノズルは、内周面に軸方向に沿って延びる溝部が複数形成されてなる中空筒状体にて構成されている。当該ノズルには、その後端にプラスチック製チューブである外側チューブが嵌着されているとともに、当該ノズルの中空部には、金属製チューブである内側チューブが貫通するように挿通配置されており、これにより上述したノズルが二重管構造を有するチューブの先端近傍に取付けられている。【００１２】
なお、溶液吐出口を形成する金属製チューブからなる内側チューブの先端は、ノズルの先端面から僅かに（たとえば１ｍｍ程度）突出するように配置されている。一方、気体吐出口は、金属製チューブからなる内側チューブを取り囲むようにノズルの先端面に設けられている。また、二重管構造を有するチューブの内部に設けられた圧縮気体（圧縮空気）の搬送路と、ノズルの先端面に設けられた気体吐出口とは、上述したノズルの内周面に設けられた溝部の表面と、金属製チューブからなる内側チューブの外周面とによって規定される通路を介して連通している。
【先行技術文献】
【特許文献】
【００１３】
【特許文献１】特開２００３−１０３３０号公報
【発明の概要】
【発明が解決しようとする課題】
【００１４】
しかしながら、上記特開２００３−１０３３０号公報に開示のスプレーヘッドは、二重管構造を有するチューブを変形させた場合に、金属製チューブからなる内側チューブの曲がり具合とプラスチック製チューブからなる外側チューブの曲がり具合との間に差が生じることに起因し、ノズルの先端面から突出して位置する部分の金属製チューブからなる内側チューブの先端部の突出量に変化が生じてしまうものであった。【００１５】
この金属製チューブからなる内側チューブの先端部の突出量に変化が生じてしまう事象は、ノズルの位置調節のために複数回にわたってチューブを変形させた場合や、チューブを極端に曲げた場合等において顕著に発生する。当該事象が発生した場合には、金属製チューブからなる内側チューブの先端部の突出量が意図したものよりも減少してしまうことになり、場合によっては、当該先端部がすべてノズルの内部に引き込まれてしまう不具合を誘発する。【００１６】
このため、上記特開２００３−１０３３０号公報に開示のスプレーヘッドを用いた場合には、その使用態様の如何により、気体吐出口に対する溶液吐出口の位置にずれが発生してしまい、結果として所望の噴霧性能が得られなくなる問題が生じていた。【００１７】
これを防止するためには、金属製チューブからなる内側チューブに対してノズルを強固に固定することが考えられるが、その構成上これを簡素な構成にて実現することは困難であり、必然的に複雑な構成が必要となってしまうため、他の解決方法が求められているところである。【００１８】
したがって、本発明は、上述した問題を解決すべくなされたものであり、チューブを変形させた場合にも所望の噴霧性能を確実に得ることができる簡素な構成の生体用薬剤含有溶液投与具用のスプレーヘッドを提供することを目的とする。
【課題を解決するための手段】
【００１９】
本発明に基づく生体用薬剤含有溶液投与具用のスプレーヘッドは、圧縮気体を用いることで生体用薬剤含有溶液を外部に向けて噴霧する生体用薬剤含有溶液投与具用のスプレーヘッドであって、生体用薬剤含有溶液および圧縮気体をこれらが分離した状態のまま搬送するチューブと、上記チューブの先端に取付けられ、上記チューブから導入された生体用薬剤含有溶液および圧縮気体をこれらが分離した状態のまま外部に向けて吐出するノズルとを備えている。上記チューブは、生体用薬剤含有溶液が搬送される溶液搬送路が内部に設けられた内側チューブと、上記内側チューブが内部に挿通されることによって上記内側チューブとの間に圧縮気体が搬送される気体搬送路を規定する外側チューブとによって構成された二重管構造を有している。上記内側チューブは、外力が加えられた場合に自在に変形するとともに外力が取り除かれた場合にその形状が概ね維持される部材からなり、上記外側チューブは、弾性変形可能な部材からなる。上記ノズルは、上記内側チューブの先端が嵌着された第１嵌着部と、上記外側チューブの先端が嵌着された第２嵌着部とを含んでいる。上記ノズルの先端面には、生体用薬剤含有溶液を吐出するための溶液吐出口と、圧縮気体を吐出するための気体吐出口とが設けられており、上記気体吐出口は、上記溶液吐出口を取り囲むように配設されている。上記ノズルの内部には、上記溶液搬送路と上記溶液吐出口とを連通させる溶液通路と、上記気体搬送路と上記気体吐出口とを連通させる気体通路とが設けられている。上記溶液通路と上記気体通路とは、上記ノズルの一部によって構成された隔壁部によって隔てられている。【００２０】
上記本発明に基づく生体用薬剤含有溶液投与具用のスプレーヘッドにあっては、上記ノズルの先端面に外側に向けて突出する突出部が設けられていてもよく、その場合には、上記溶液吐出口が、上記突出部の先端に設けられていることが好ましい。【００２１】
上記本発明に基づく生体用薬剤含有溶液投与具用のスプレーヘッドにあっては、上記内側チューブの先端が上記第１嵌着部に圧入されることにより、上記内側チューブが、上記ノズルに固定されていることが好ましい。【００２２】
上記本発明に基づく生体用薬剤含有溶液投与具用のスプレーヘッドにあっては、上記第１嵌着部が、上記第２嵌着部よりも上記先端面側に位置していることが好ましい。【００２３】
上記本発明に基づく生体用薬剤含有溶液投与具用のスプレーヘッドにあっては、上記内側チューブが、金属製の部材からなることが好ましく、また、上記外側チューブが、樹脂製の部材からなることが好ましい。
【発明の効果】
【００２４】
本発明によれば、チューブを変形させた場合にも所望の噴霧性能を確実に得ることができる簡素な構成の生体用薬剤含有溶液投与具用のスプレーヘッドとすることができる。
【図面の簡単な説明】
【００２５】
【図１】本発明の実施の形態におけるスプレーヘッドおよびこれを具備した生体用薬剤含有溶液投与具の側面図である。
【図２】図１に示すスプレーヘッドの斜視図である。
【図３】図１に示すスプレーヘッドの断面図である。
【図４】図３に示す領域ＩＶの拡大断面図である。
【図５Ａ】図４に示すＶＡ−ＶＡ線に沿った拡大断面図である。
【図５Ｂ】図４に示すＶＢ−ＶＢ線に沿った拡大断面図である。
【図５Ｃ】図４に示すＶＣ−ＶＣ線に沿った拡大断面図である。
【図５Ｄ】図４に示すＶＤ−ＶＤ線に沿った拡大断面図である。
【図６】図４に示す矢印ＶＩ側から見たノズルの正面図である。
【発明を実施するための形態】
【００２６】
以下、本発明の実施の形態について、図を参照して詳細に説明する。なお、以下に示す実施の形態においては、同一のまたは共通する部分について図中同一の符号を付し、その説明は繰り返さない。
【００２７】
図１は、本発明の実施の形態におけるスプレーヘッドおよびこれを具備した生体用薬剤含有溶液投与具の側面図である。まず、この図１を参照して、本実施の形態におけるスプレーヘッドを具備した生体用薬剤含有溶液投与具の構成について説明する。
【００２８】
図１に示すように、生体用薬剤含有溶液投与具１００は、スプレーヘッド１と、シリンジ１１０と、図示しないコンプレッサとを備えている。シリンジ１１０は、スプレーヘッド１に設けられた後述するコネクタ４０を介してスプレーヘッド１に接続されており、図示しないコンプレッサは、同じく図示しないエア管等を介してスプレーヘッド１に接続されている。
【００２９】
シリンジ１１０は、生体用薬剤を含有する溶液である生体用薬剤含有溶液がその内部に充填されてなるものであり、バレル１１１と、バレル１１１に摺動可能に組み付けられたプランジャ１１２とを有している。シリンジ１１０は、プランジャ１１２がバレル１１１側に向けて押し込まれることにより、上記溶液をバレル１１１の先端からスプレーヘッド１に対して供給する。
【００３０】
一方、図示しないコンプレッサは、圧縮気体としての圧縮空気を生成するものであり、生成した圧縮空気を上述した図示しないエア管を介してスプレーヘッド１に対して供給する。
【００３１】
図２は、図１に示すスプレーヘッドの斜視図であり、図３は、図１に示すスプレーヘッドの断面図である。次に、これら図２および図３を参照して、本実施の形態におけるスプレーヘッドについて説明する。
【００３２】
図２および図３に示すように、スプレーヘッド１は、三又管１０と、チューブ２０と、ノズル３０と、コネクタ４０とを備えている。チューブ２０は、長尺状（数十センチメートル程度）の形状を有しており、その先端にノズル３０が取付けられており、その後端に三又管１０が取付けられている。また、コネクタ４０は、三又管１０の後端に取付けられている。
【００３３】
三又管１０は、シリンジ１１０から供給される溶液とコンプレッサから供給される圧縮空気とを受け入れることでこれらをスプレーヘッド１内に導入するための部位であり、第１ポート１１、第２ポート１２および第３ポート１３から構成される略Ｙ字状の形状を有している。
【００３４】
第１ポート１１には、コネクタ４０を介して上述したシリンジ１１０が接続され、第２ポート１２には、上述した図示しないエア管を介して上述した図示しないコンプレッサが接続される。一方、第３ポート１３には、チューブ２０のうちの後述する外側チューブ２２が接続されており、また、当該第３ポート１３を介して、チューブ２０のうちの後述する内側チューブ２１が、三又管１０の内部から外部に引き出されている。
【００３５】
三又管１０は、その内部にハブ１４を備えており、当該ハブ１４は、三又管１０の上述した第１ポート１１に嵌着されている。ハブ１４は、コネクタ４０を介して三又管１０に接続されたシリンジ１１０のバレル１１１の先端部が受け入れ可能となるドーム状の形状を有している。ハブ１４の先端には、チューブ２０のうちの後述する内側チューブ２１の後端が挿し込まれた開口が設けられている。
【００３６】
なお、三又管１０は、好適には、ポリプロピレン樹脂やポリエチレン樹脂、ポリ塩化ビニル樹脂、ポリカーボネート樹脂、ＡＢＳ樹脂（アクリロニトリル−ブダジエン−スチレン共重合合成樹脂）等に代表される樹脂製の部材にて構成される。また、ハブ１４は、好適には、ポリプロピレン樹脂やポリスチレン樹脂等に代表される樹脂製の部材にて構成される。
【００３７】
チューブ２０は、シリンジ１１０から導入される溶液およびコンプレッサから導入される圧縮空気をこれらが分離した状態のままノズル３０に向けて搬送するためのものであり、内側チューブ２１および外側チューブ２２からなる二重管構造を有している。
【００３８】
内側チューブ２１は、溶液が搬送される溶液搬送路２３を内部に有しており、その先端がノズル３０に取付けられているとともに、その後端が上述したハブ１４に嵌着されている。外側チューブ２２は、内側チューブ２１が内部に挿通されることによって内側チューブ２１との間に圧縮空気が搬送される気体搬送路２４を規定するものであり、その先端がノズル３０に取付けられているとともに、その後端が三又管１０の上述した第３ポート１３に嵌着されている。
【００３９】
内側チューブ２１は、外力が加えられた場合に自在に変形するとともに外力が取り除かれた場合にその形状が概ね維持される部材にて構成されており、たとえば銅や焼き鈍しされたステンレス合金等に代表される金属材料にて構成された金属製チューブからなる。一方、外側チューブ２２は、弾性変形可能な部材にて構成されており、たとえばポリエチレン樹脂、ポリウレタン樹脂、軟質ポリ塩化ビニル樹脂等に代表される軟質樹脂材料にて構成された樹脂製チューブからなる。
【００４０】
このように構成することにより、二重管構造を有するチューブ２０は、手などによって容易にかつ自在にその形状を変化させることが可能になり、その先端に取付けられたノズル３０の位置や角度が自由に調節できることとなる。したがって、溶液の噴霧投与の際の利便性に資することになる。
【００４１】
ノズル３０は、二重管構造を有するチューブ２０から導入された溶液および圧縮空気をこれらが分離した状態のまま外部に向けて吐出するためのものであり、溶液を吐出するための溶液吐出口３５と圧縮空気を吐出するための気体吐出口３６とをその先端面３０ａに有している。
【００４２】
より詳細には、ノズル３０の先端面３０ａには、その中央部に外側に向けて突出する突出部３７が設けられており、当該突出部３７の先端に上述した溶液吐出口３５が設けられている。一方、気体吐出口３６は、当該突出部３７に設けられた溶液吐出口３５を取り囲むようにノズル３０の先端面３０ａに複数設けられている。
【００４３】
これにより、ノズル３０から吐出された溶液は、同じくノズル３０から吐出された圧縮空気に巻き込まれることよって霧化するとともに、霧化後の溶液が、当該圧縮空気に乗って外部に向けて噴霧されることになる。なお、突出部３７の突出量としては、概ね〜３ｍｍ程度とされることが好ましく、たとえば１ｍｍ程度とされる。
【００４４】
ノズル３０は、好適には、ポリプロピレン樹脂やポリエチレン樹脂、ポリ塩化ビニル樹脂、ポリカーボネート樹脂、ＡＢＳ樹脂等に代表される樹脂製の部材にて構成される。なお、ノズル３０のより詳細な構造については、後述することとする。
【００４５】
コネクタ４０は、上述したように三又管１０とシリンジ１１０とを接続するためのものであり、先端側に位置する円筒状の第１接続部４１と、後端側に位置する円筒状の第２接続部４２とを有している。第１接続部４１は、三又管１０の上述した第１ポート１１に嵌着されており、第２接続部４２は、シリンジ１１０の上述したバレル１１１の先端部が接続可能に構成されている。
【００４６】
図４は、図３に示す領域ＩＶの拡大断面図であり、図５Ａないし図５Ｄは、それぞれ図４に示すＶＡ−ＶＡ線、ＶＢ−ＶＢ線、ＶＣ−ＶＣ線およびＶＤ−ＶＤ線に沿った拡大断面図である。また、図６は、図４に示す矢印ＶＩ側から見たノズルの正面図である。次に、これら図４ないし図６を参照して、本実施の形態におけるスプレーヘッドのノズルの構成およびノズルに対するチューブの接続構造について詳説する。
【００４７】
図４および図５Ａないし図５Ｄに示すように、二重管構造を有するチューブ２０を構成する内側チューブ２１および外側チューブ２２は、いずれもノズル３０の後端側からノズル３０の内部に向けて挿し込まれることでノズル３０に取付けられている。ここで、内側チューブ２１の先端２１ａは、外側チューブ２２の先端２２ａよりも前方側（すなわち図４中に示す左側）に向けて突出して位置している。
【００４８】
一方、図４ないし図６に示すように、ノズル３０は、所定形状の中空部が概ね軸方向に沿って延びるように設けられてなる大略円筒状の形状を有しており、上述した溶液吐出口３５および気体吐出口３６に加えて、第１嵌着部３１および第２嵌着部３２を備えている。
【００４９】
第１嵌着部３１は、内側チューブ２１の先端２１ａが嵌着される部位であり、内側チューブ２１の外径に対応した内径を有する略円筒状の部位にて構成されている。第１嵌着部３１は、その内部に内側チューブ２１の先端２１ａが圧入されることにより、内側チューブ２１を保持している。
【００５０】
第２嵌着部３２は、外側チューブ２２の先端２２ａが嵌着される部位であり、外側チューブ２２の外径に対応した内径を有する略円筒状の部位にて構成されている。第２嵌着部３２は、その内部に外側チューブ２２の先端２２ａが圧入されることによって外側チューブ２２を保持している。
【００５１】
なお、外側チューブ２２の外径が内側チューブ２１の外径よりも大きいことに伴い、第２嵌着部３２の内径は、第１嵌着部３１の内径よりも大きく構成されている。また、内側チューブ２１の先端２１ａが外側チューブ２２の先端２２ａよりも前方側に向けて突出していることに伴い、第１嵌着部３１は、第２嵌着部３２よりもノズル３０の先端面３０ａ寄りの位置に設けられている。
【００５２】
ノズル３０の内部に設けられた上記中空部は、第１嵌着部３１によって取り囲まれかつ内側チューブ２１の先端２１ａが配置された空間、および、第２嵌着部３２によって取り囲まれかつ外側チューブ２２の先端２２ａが配置された空間に加え、内側チューブ２１に設けられた溶液搬送路２３とノズル３０の先端面３０ａに設けられた溶液吐出口３５とを連通させる溶液通路３３、および、外側チューブ２２および内側チューブ２１によって規定される気体搬送路２４とノズル３０の先端面３０ａに設けられた気体吐出口３６とを連通させる気体通路３４を含んでいる。
【００５３】
溶液通路３３は、溶液搬送路２３から供給される溶液を流通させることによってこれを溶液吐出口３５に到達させるための部位であり、上述した第１嵌着部３１が設けられた部分から前方に向かって延びるように設けられている。一方、気体通路３４は、気体搬送路２４から供給される圧縮空気を流通させることによってこれを気体吐出口３６に到達させるための部位であり、上述した第２嵌着部３２が設けられた部分から前方に向かって延びるように設けられている。なお、気体搬送路２４は、その後端側からその先端側に向かう途中位置において複数の経路に分岐されており、分岐された経路の各々が、それぞれ対応付けて複数の気体吐出口３６に達するように形成されている。
【００５４】
ここで、溶液通路３３と気体通路３４とは、ノズル３０の一部によって構成された隔壁部３８によって隔てられている。当該隔壁部３８が設けられることにより、溶液通路３３および気体通路３４は、導入された溶液および圧縮空気をこれらが分離した状態のままそれぞれ溶液吐出口３５および気体吐出口３６に到達させることを可能にしている。これにより、ノズル３０は、二重管構造を有するチューブ２０から導入された溶液および圧縮空気をこれらが分離した状態のまま外部に向けて吐出することができる。
【００５５】
以上において説明したように、本実施の形態におけるスプレーヘッド１にあっては、二重管構造を有するチューブ２０のうちの外側チューブ２２のみならず内側チューブ２１についても、これがノズル３０に嵌着された構成とされるとともに、ノズル３０に溶液通路３３、気体通路３４、溶液吐出口３５および気体吐出口３６がそれぞれ設けられた構成とされ、さらには、溶液通路３３と気体通路３４とがノズル３０の一部によって構成された隔壁部３８によって隔てられた構成とされている。
【００５６】
そのため、二重管構造を有するチューブ２０を変形させることによって内側チューブ２１の曲がり具合と外側チューブ２２の曲がり具合との間に差が生じた場合であっても、溶液吐出口３５と気体吐出口３６との間の相対的な位置関係に何ら変化が生じるものではない。また、このとき、内側チューブ２１がノズル３０に対して相対的に三又管１０側に引っ張られることになるが、第１嵌着部３１の軸方向に沿った長さを相当程度長く形成しておくことにより、内側チューブ２１が第１嵌着部３１から脱落することも防止される。その結果、上記構成を採用することにより、所望の噴霧性能を確実に得ることが可能になる。
【００５７】
また、本実施の形態におけるスプレーヘッド１は、従来の一般的なスプレーヘッドに比較して特に複雑な構造を必要とするものでもないため、比較的安価にかつ簡便に製造することができる。
【００５８】
したがって、本実施の形態におけるスプレーヘッド１とすることにより、チューブを変形させた場合にも所望の噴霧性能を確実に得ることができる簡素な構成の生体用薬剤含有溶液投与具用のスプレーヘッドとすることができる。
【００５９】
なお、上述した本実施の形態においては、内側チューブおよび外側チューブをそれぞれノズルに対して圧入することで嵌着させた構成とした場合を例示したが、内側チューブおよび外側チューブをノズルに対して嵌着させる具体的な方法は、当該圧入によるものに限られるものではない。たとえば、これらに係止部を設けて当該係止部を互いに係止させることで嵌着させるように構成してもよいし、接着剤等を用いることでこれらを嵌着させるように構成してもよい。また、内側チューブとノズルとの嵌着と、外側チューブとノズルとの嵌着とに異なる構成を採用することとしてもよい。
【００６０】
また、上述した本実施の形態においては、内側チューブの先端がノズルの先端面よりも後方に位置するように構成した場合を例示したが、内側チューブの先端がノズルの先端面と同一平面上の位置にまで達するように構成してもよい。この場合、溶液通路は、ノズルの先端面に設けられた突出部の内部にのみ位置することになるが、その場合にも、溶液通路と気体通路との間には、突出部および第１嵌着部を構成する部分のノズルの一部が位置することになり、当該部分によって溶液通路と気体通路とを隔てる隔壁部が構成されることになる。
【００６１】
また、上述した本実施の形態においては、第１嵌着部が第２嵌着部よりもノズルの先端面側に位置するように構成した場合を例示したが、これらがどのような位置関係にあってもよい。ただし、上述したように第１嵌着部が第２嵌着部よりもノズルの先端面側に位置するように構成することにより、ノズルの径方向における外形寸法を小型化することができるとともに、ノズルの内部に形成される溶液通路および気体通路を比較的簡素な構成とすることができる。
【００６２】
さらには、上述した実施の形態において示した各部の形状や寸法、数、材質等は、特に限定的に言及されている場合を除き、当然に種々変更することができるものである。
【００６３】
なお、本発明が適用可能な生体用薬剤含有溶液投与具用のスプレーヘッドとしては、人体に対して適用される生体用薬剤の投与に用いられる投与具用のものや、動物に対して適用される生体用薬剤の投与に用いられる投与具用のものなど、各種の用途に用いられるものが想定される。
【００６４】
また、本発明が適用可能な生体用薬剤含有溶液投与具用のスプレーヘッドとしては、生体接着剤の投与に用いられる投与具用のものや、洗浄剤（たとえば生理食塩水など）の投与に用いられる投与具用のもの、薬効成分を有する薬剤の投与に用いられる投与具用のものなど、各種の生体用薬剤の投与具に用いられるものが想定され、また、これら種類の異なる生体用薬剤を複数種類同時に投与するための投与具用のものへの適用も当然に想定される。
【００６５】
たとえば、本発明が適用可能な生体接着剤投与具用のスプレーヘッドとしては、いわゆる一液性の生体接着剤の投与に用いられる投与具用のものや、二液性の生体接着剤の投与に用いられる投与具用のものなど、各種の生体接着剤の投与具に用いられるものが想定され、また、これら一液性の生体接着剤または二液性の生体接着剤と同時に上述した洗浄剤や薬効成分を有する薬剤を同時に投与するための投与具用のものへの適用も当然に想定される。
【００６６】
このように、今回開示した上記実施の形態はすべての点で例示であって、制限的なものではない。本発明の技術的範囲は請求の範囲によって画定され、また請求の範囲の記載と均等の意味および範囲内でのすべての変更を含むものである。
【符号の説明】
【００６７】
１  スプレーヘッド、１０  三又管、１１  第１ポート、１２  第２ポート、１３  第３ポート、１４  ハブ、２０  チューブ、２１  内側チューブ、２１ａ  先端、２２  外側チューブ、２２ａ  先端、２３  溶液搬送路、２４  気体搬送路、３０  ノズル、３０ａ  先端面、３１  第１嵌着部、３２  第２嵌着部、３３  溶液通路、３４  気体通路、３５  溶液吐出口、３６  気体吐出口、３７  突出部、３８  隔壁部、４０  コネクタ、４１  第１接続部、４２  第２接続部、１００  生体用薬剤含有溶液投与具、１１０  シリンジ、１１１  バレル、１１２  プランジャ。
【図１】
2015098465.tif 000003
【図２】
2015098465.tif 000004
【図３】
2015098465.tif 000005
【図４】
2015098465.tif 000006
【図５Ａ】
2015098465.tif 000007
【図５Ｂ】
2015098465.tif 000008
【図５Ｃ】
2015098465.tif 000009
【図５Ｄ】
2015098465.tif 000010
【図６】
2015098465.tif 000011
【国際調査報告】
2015098465.tif 000012
2015098465.tif 000013
2015098465.tif 000014
2015098465.tif 000015